(57)【要約】【課題】紙容器薄肉部のフィルムが破断片化してストロー内に直接入り込むことを確実に防止し、かつそのフィルムが破断片化して容器内に落下することを簡易にかつ廉価に防止することができる飲用ストローを提供する【解決手段】飲用ストロー３は、液体食品用紙容器１に用いられる２本のストロー管３ａ、３ｂからなる飲用ストローであって、液体食品用紙容器が飲用ストローを差込むための薄肉部２を器壁に有し、ストロー３が、薄肉部に差込まれる側のストロー管の端部で鋭角に斜めに切断されて形成された切断面４を有し、切断面の縁辺の先端に２線の交点の角７が形成されていることを特徴とする。【選択図】図１
2015066157.tif 000002
【特許請求の範囲】
【請求項１】
液体食品用紙容器に用いられる１本若しくは複数本のストロー管からなる飲用ストローであって、該液体食品用紙容器が該飲用ストローを差込むための薄肉部を器壁に有し、該ストローが、該薄肉部に差込まれる側の該ストロー管の端部で鋭角に斜めに切断されて形成された切断面を有し、該切断面の縁辺の先端に２線の交点の角が形成されていることを特徴とする飲用ストロー。
【請求項２】
飲用ストローを差込むための薄肉部を器壁に有する液体食品用紙容器に用いられる１本若しくは複数本のストロー管からなる飲用ストローを製造する方法であって、
該薄肉部に差込まれる側の該ストロー管の端部で鋭角に斜めに切断して切断面を形成するに際して、該ストロー管の端部の、少なくとも、先端側を扁平に変形して切断し、該切断面の縁辺の先端に２線の交点の角を形成することを特徴とする飲用ストローの製造法。
【請求項３】
該ストロー管の端部の、該先端側及び基部側を扁平に変形して切断し、該切断面の縁辺の該先端及び該基部に２直線の交点の該角を形成する請求項２記載の飲用ストローの製造法。
【請求項４】
該ストロー管の該扁平変形及び該切断後に、該ストロー管を円形に整形する請求項３記載の飲用ストローの製造法。
【発明の詳細な説明】
【技術分野】
【０００１】
本発明は、ジュースや牛乳などの液体食品などを充填した紙容器などに用いる飲用ストローに関する。
【背景技術】
【０００２】
液体食品用紙容器から飲料を飲む方法には種々がある。図２に示すような、レンガ型紙容器の例では、紙容器（１）の器壁に、プラスチックフィルム袋に包装された飲用ストロー（図示せず）が添付されている。紙容器の器壁上面に、飲用ストローを差込むための薄肉部（２）、すなわち、ストロー孔２が形成されている。この薄肉部２は、通常、紙主体の包材の紙基材層にパンチなどで打ち抜かれ、この紙基材層にプラスチック層及び、必要であれば、アルミニウム箔層を形成することによって形成される。
【０００３】
飲用ストローが、内管と内管を収納する外管とからなる伸縮ストローである場合、内管の先端部からその薄肉部に差込まれる。消費者がこの紙容器から飲料を飲むとき、飲用ストローを薄肉部に破断穴を形成して差込み、飲用することによって使用することができる。 
【０００４】
しかし、飲用ストロー用の薄肉部（パンチ穴部分）のフィルムが、差込時に破断片化してストロー内に直接入り込んで消費者がそれを飲んでしまう恐れ、または、パンチ穴の部分のフィルムが破断片化して、容器内に落下しそれを消費者が飲んでしまう恐れがある。
【０００５】
上記の不都合を解消する為に、例えば、飲用ストローの先端開口部に薄肉部断片のストロー管内部への侵入を防止する網を設ける技術、及び飲用ストローの先端を鉛筆の先端部のように尖塔様に尖らせる技術などが提案されている。（特許文献参照）
【先行技術文献】
【特許文献】
【０００６】
【特許文献１】特開２００２−２５３４１５号公報
【特許文献２】特開２００４−３５１０４６号公報
【特許文献３】特開２００６−１４１５７５号公報
【特許文献４】特開２００６−１４１５７６号公報
【発明の概要】
【発明が解決しようとする課題】
【０００７】
上記従来技術による飲用ストローでは、薄肉部のフィルムが破断片化してストロー内に直接入り込むこと及びで破断片化して容器内に落下することを簡易にかつ廉価に防止することができない。
本発明は、紙容器薄肉部のフィルムが破断片化してストロー内に直接入り込むことを確実に防止し、かつそのフィルムが破断片化して容器内に落下することを簡易にかつ廉価に防止することができる飲用ストローを提供することを目的とする。
【課題を解決するための手段】
【０００８】
本発明の飲用ストローは、液体食品用紙容器に用いられる１本若しくは複数本のストロー管からなる飲用ストローであって、液体食品用紙容器が飲用ストローを差込むための薄肉部を器壁に有し、ストローが、薄肉部に差込まれる側のストロー管の端部で鋭角に斜めに切断されて形成された切断面を有し、切断面の縁辺の先端に２線の交点の角が形成されていることを特徴とする。
【０００９】
この発明の飲用ストローの製造法は、飲用ストローを差込むための薄肉部を器壁に有する液体食品用紙容器に用いられる１本若しくは複数本のストロー管からなる飲用ストローを製造する方法であって、
薄肉部に差込まれる側のストロー管の端部で鋭角に斜めに切断して切断面を形成するに際して、ストロー管の端部の、少なくとも、先端側を扁平に変形して切断し、切断面の縁辺の先端に２線の交点の角を形成することを特徴とする。
【００１０】
この発明の製造法の好ましい態様において、ストロー管の端部の、先端側及び基部側を扁平に変形して切断し、切断面の縁辺の先端及び基部に２直線の交点の角を形成する。
この発明の好ましい態様において、ストロー管の扁平変形及び切断後に、ストロー管を円形に整形する。
【発明の効果】
【００１１】
上記構成の本発明によれば、以下の作用機能を発揮し、有利な効果が得られる。
本発明の飲用ストロー及びその製造法は、液体食品用紙容器に用いられる１本若しくは複数本のストロー管からなる飲用ストローに関してである。
製造工程において、外管、内管、若しくは更に、中間管のパイプが成形され、各々所定の長さに切断され、所定の組合わせで嵌合されて飲用ストローを得ることができる。
【００１２】
本発明の飲用ストロー及びその製造法が用いされる液体食品用紙容器は、飲用ストローを差込むための薄肉部を器壁に有する。
通常、容器頂部に設けられるストロー孔が薄肉部であり、通常、紙主体の包材の紙基材層にパンチなどで打ち抜かれ、この紙基材層にプラスチック層及び、必要であれば、アルミニウム箔層を積層することによって形成される。紙基材層が無いために、飲用ストローによる突き刺しによって、容易に開封することができる。
【００１３】
本発明の飲用ストロー及びその製造法では、ストローが、薄肉部に差込まれる側のストロー管の端部で鋭角に斜めに切断されて形成された切断面を有する。
斜めに切断されるので、薄肉部に差込まれる側のストロー管先端は、側面視すれば、クサビ状の形状をなし、薄肉部に差込まれる易くすることができる。
【００１４】
本発明の飲用ストロー及びその製造法は、切断面の縁辺の先端に２線の交点の角が形成されていることを特徴とする。
切断面の縁辺の先端に、２本の線が交わる点に相当する角が形成される。角状の先端が形成されるので、薄肉部に差込まれるときに、薄肉部の、例えば、プラスチックフィルムを上記の角状先端が容易に切断し、更に差込まれることによって、フィルムの切断面を拡大することができる。
角状先端が無い、楕円形先端では、ストローを薄肉部に差し込んだときにフィルムが切れず、薄肉部の外周フィルムが伸びてストロー先端を包み込みように筒状に変形し、その後、容器内に落下、若しくは、ストロー管内に入り込む恐れがある。
【００１５】
この発明の飲用ストローの製造法は、薄肉部に差込まれる側のストロー管の端部で鋭角に斜めに切断して切断面を形成するに際して、ストロー管の端部の、少なくとも、先端側を扁平に変形して切断し、切断面の縁辺の先端に２直線の交点の角を形成することを特徴とする。
先端側を扁平に変形せずに、例えば、断面円形パイプを斜に切断すると、切断面の先端部は、楕円形状となり、角状先端を形成することができない。
【００１６】
この発明の製造法の好ましい態様において、ストロー管の端部の、先端側及び基部側を扁平に変形して切断し、切断面の縁辺の先端及び基部に２直線の交点の角を形成する。
切断すべき箇所全体を、製造工程において、軽く押して変形させて切断することによって、実施することができるので、簡易かつ低コストで製造することができる。
【００１７】
この発明の好ましい態様において、ストロー管の扁平変形及び切断後に、ストロー管を円形、好ましくは、真円形に整形する。
ストロー管の流量を最大にすることができる。
上述のように、破断片化してストロー内に直接入り込むことを確実に防止し、かつそのフィルムが破断片化して容器内に落下することを簡易にかつ廉価に防止することができる。
【図面の簡単な説明】
【００１８】
【図１】この発明に使用することができる飲用ストローの実施例の外観図（Ａ）及び断面図（Ｂ）である。
【図２】この発明に使用することができる紙容器例の外観図である。
【図３】この発明の飲用ストローの製造法において、切断工程を示す工程図である。
【図４】この発明による実施例の飲用ストローの先端部分のストロー管の部分展開図である。
【発明を実施するための形態】
【００１９】
以下、本発明の実施の形態について、添付図面を参照しながら詳細に説明する。
本実施例の飲用ストロー及びその製造法は、図１に示すように、液体食品用紙容器に用いられる２本のストロー外管３ａ、ストロー内管３ｂからなる飲用伸縮ストロー３に関してである。
製造工程において、外管、内管、若しくは更に、中間管のパイプが成形され、各々所定の長さに切断され、所定の組合わせで嵌合されて飲用ストローを得る。
【００２０】
本実施例の飲用ストロー及びその製造法が用いされる液体食品用紙容器は、飲用ストローを差込むための薄肉部を器壁の頂部に有する。
容器頂部に設けられるストロー孔が薄肉部であり、紙主体の包材の紙基材層にパンチで打ち抜かれ、この紙基材層にプラスチック層及びアルミニウム箔層を積層することによって形成される。紙基材層が無いために、飲用ストローによる突き刺しによって、容易に開封する。
【００２１】
本実施例の飲用ストロー及びその製造法では、図３に示すように、内管用のパイプ５を準備し（図３（Ａ））、ストロー３が、薄肉部２に差込まれる側のストロー管３ｂの端部で鋭角に斜めに切断されて（図３（Ｂ））、形成された切断面４を有する（図３（Ｃ））。
図３（Ｂ）に示すように、斜めに切断され、薄肉部に差込まれる側のストロー管３ｂの先端は、側面視すれば、クサビ状の形状をなし、薄肉部に差込まれる易くする。
【００２２】
本実施例の飲用ストロー及びその製造法は、図４の展開図に示すように、切断面４の縁辺６の先端７に２線８ａ、８ｂの交点の角７が形成されていることを特徴とする。
切断面４の縁辺６の先端７に、２本の線８ａ、８ｂが交わる点に相当する角７が形成される。角状の先端７が形成され、薄肉部に差込まれるときに、薄肉部のプラスチックフィルムを角状先端７が容易に切断し、更に差込まれることによって、フィルムの切断面を拡大する。
角状先端が無い場合、楕円形先端では、ストローを薄肉部に差し込んだときにフィルムが切れず、薄肉部の外周フィルムが伸びてストロー先端を包み込みように筒状に変形し、その後、容器内に落下、若しくは、ストロー管内に入り込む恐れがある。
【００２３】
この実施例の飲用ストローの製造法は、薄肉部に差込まれる側のストロー管の端部で鋭角に斜めに切断して切断面を形成するに際して、図３（Ｂ）に示すように、ストロー管の端部を扁平に変形して切断し、切断面の縁辺の先端に２直線の交点の角を形成する。
扁平に変形せずに、断面円形パイプを斜に切断すると、切断面の先端部は、楕円形状となり、角状先端を形成することができない。
【００２４】
この実施例の製造法の態様において、図３（Ｂ）に示すように、ストロー管３ｂの端部の、先端側３ｂ１及び基部側３ｂ２を扁平に変形して切断し、切断面の縁辺の先端及び基部に２直線の交点の角７を形成する。
切断すべき箇所全体を、製造工程において、軽く押して変形させて切断することによって、実施することができるので、簡易かつ低コストで製造する。
【００２５】
この実施例の態様において、ストロー管の扁平変形及び切断後に、ストロー管を円形に整形する（図３（Ｃ））。
変形を直すことによって、ストロー管の流量を最大にする。
上記実証されるように、破断片化してストロー内に直接入り込むことを確実に防止し、かつそのフィルムが破断片化して容器内に落下することを簡易にかつ廉価に防止する。
【００２６】
なお、本発明は実施の形態に限定されるものではなく、本発明の趣旨に基づいて種々変形させることが可能であり、それらを本発明の範囲から排除するものではない。
【産業上の利用可能性】
【００２７】
この発明の飲用ストローは、牛乳、ジュース、ミネラルウォーターなどの飲料、流動食品などの包装容器のストローに適用することができる。
【符号の説明】
【００２８】
１    紙容器
２    薄肉部
３    ストロー
７    角状先端
【図１】
2015066157.tif 000003
【図２】
2015066157.tif 000004
【図３】
2015066157.tif 000005
【図４】
2015066157.tif 000006